【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
低レイテンシ通信においてアップリンク制御情報(UCI)を通信するための方法であって、
第1の送信時間間隔(TTI)を備える第1のシンボルおよび第2のシンボルを介して送信するためにアクセスポイントから1つまたは複数のリソース割当てを受信するステップであって、前記1つまたは複数のリソース割当てのうちのリソース割当てが、少なくとも前記第1のシンボルについて、デシメーションファクタに基づくシステム帯域幅内の1つまたは複数の連続周波数リソースの指示を含む、ステップと、
前記第1のTTIにおいて、前記1つまたは複数のリソース割当てに従って、前記第1のシンボルを介して基準信号を、前記第2のシンボルを介して前記UCIを示すデータ信号を送信するステップと
を備え、
前記デシメーションファクタが、UCIペイロードサイズに少なくとも部分的に基づいて決定され、前記デシメーションファクタが、前記1つまたは複数の連続周波数リソースの分割を示す、方法。
【請求項２】
前記アクセスポイントから受信されたダウンリンク通信のための前記UCIを通信するために、前記第1のTTI内の少なくとも前記第2のシンボルに適用するための巡回シフトを決定するステップをさらに備える、請求項1に記載の方法。
【請求項３】
前記第1のTTIにおいて、前記アクセスポイントによって割り当てられた異なる巡回シフトまたはコンピュータ生成シーケンスを使用して復調基準信号を送信するステップをさらに備える、請求項2に記載の方法。
【請求項４】
くし型インデックスまたは前記リソース割当てにおいて示された前記1つまたは複数の連続周波数リソースの数のうちの少なくとも1つに基づいて前記コンピュータ生成シーケンスのための四位相偏移変調(QPSK)シンボルのシーケンスを取得するステップであって、前記QPSKシンボルのシーケンスが、前記QPSKシンボルの他のシーケンスよりも最も低いピーク対平均電力比を有するように決定される、ステップをさらに備える、請求項3に記載の方法。
【請求項５】
前記リソース割当てが、前記第2のシンボルについて、前記データ信号内の前記UCIを示すための物理リソースブロックの指示を含む、請求項1に記載の方法。
【請求項６】
前記リソース割当てが、前記第2のシンボルについて、前記デシメーションファクタに基づく前記システム帯域幅内の1つまたは複数の連続周波数リソースの第2の指示を含み、
前記1つまたは複数のリソース割当てのうちの第2のリソース割当てが、前記第2のシンボルについて、前記データ信号内の前記UCIを示すための物理リソースブロックの指示を含み、
前記方法は、前記第2のシンボルを介して前記データ信号を送信するために前記リソース割当てまたは前記第2のリソース割当てのうちの1つを選択するステップをさらに備える、請求項1に記載の方法。
【請求項７】
前記リソース割当てまたは前記第2のリソース割当てのうちの前記1つを選択するステップが、前記UCIのペイロードサイズを決定するステップ、制御データを他のUEと多重化することを決定するステップ、無線リソース制御構成、または前記アクセスポイントからのダウンリンク制御情報から割当てを決定するステップに少なくとも部分的に基づく、請求項6に記載の方法。
【請求項８】
第2のTTIにおいて、前記第1のTTIの前記第1のシンボルにおいて送信された前記基準信号に少なくとも部分的に基づいて、複数のシンボルにおいてデータを送信するステップをさらに備える、請求項1に記載の方法。
【請求項９】
前記第1のTTIの前記第2のシンボルにおいて肯定応答(ACK)/否定ACK(NACK)フィードバックまたはチャネル品質インジケータ(CQI)フィードバックのうちの1つを送信するステップと、前記第2のTTI内の前記複数のシンボルのうちの1つまたは複数においてACK/NACKフィードバックおよびCQIフィードバックを送信するステップとをさらに備える、請求項8に記載の方法。
【請求項１０】
前記ACK/NACKフィードバックおよび前記CQIフィードバックを多重化するステップと、
前記第2のTTI内の前記複数のシンボルのうちの前記1つまたは複数を介して前記多重化されたフィードバックの離散フーリエ変換拡散を実行するステップと
をさらに備える、請求項9に記載の方法。
【請求項１１】
前記第2のTTI内の前記複数のシンボルの別個のコーディングを実行するステップをさらに備える、請求項9に記載の方法。
【請求項１２】
前記第1のTTI内の利用可能なアップリンクリソースを介して前記UCIのジョイントコーディングを実行するステップをさらに備える、請求項1に記載の方法。
【請求項１３】
低レイテンシ通信においてアップリンク制御情報(UCI)を通信するための方法であって、
第1の送信時間間隔(TTI)を備える第1のシンボルおよび第2のシンボルを介して送信するためにユーザ機器のための1つまたは複数のリソース割当てを送信するステップであって、前記1つまたは複数のリソース割当てのうちの少なくとも1つのリソース割当てが、少なくとも前記第1のシンボルについて、デシメーションファクタに基づくシステム帯域幅内の1つまたは複数の連続周波数リソースの指示を含む、ステップと、
前記第1のTTIにおいて、前記1つまたは複数のリソース割当てに従って、前記第1のシンボルを介して基準信号を、前記第2のシンボルを介して前記UCIを示すデータ信号を受信するステップと
を備え、
前記デシメーションファクタが、UCIペイロードサイズに少なくとも部分的に基づいて決定され、前記デシメーションファクタが、前記1つまたは複数の連続周波数リソースの分割を示す、方法。
【請求項１４】
ワイヤレス通信のための装置であって、
1つまたは複数のアンテナを介して1つまたは複数のワイヤレス信号を通信するためのトランシーバと、
命令を記憶するように構成されたメモリと、
前記トランシーバおよび前記メモリと通信可能に結合された1つまたは複数のプロセッサとを備え、前記1つまたは複数のプロセッサが、
第1の送信時間間隔(TTI)を備える第1のシンボルおよび第2のシンボルを介して送信するためにアクセスポイントから1つまたは複数のリソース割当てを受信することであって、前記1つまたは複数のリソース割当てのうちのリソース割当てが、少なくとも前記第1のシンボルについて、デシメーションファクタに基づくシステム帯域幅内の1つまたは複数の連続周波数リソースの指示を含む、ことと、
前記第1のTTIにおいて、前記1つまたは複数のリソース割当てに従って、前記第1のシンボルを介して基準信号を、前記第2のシンボルを介してUCIを示すデータ信号を送信することと
を行うように構成され、
前記デシメーションファクタが、UCIペイロードサイズに少なくとも部分的に基づいて決定され、前記デシメーションファクタが、前記1つまたは複数の連続周波数リソースの分割を示す、装置。
【請求項１５】
ワイヤレス通信のための装置であって、
1つまたは複数のアンテナを介して1つまたは複数のワイヤレス信号を通信するためのトランシーバと、
命令を記憶するように構成されたメモリと、
前記トランシーバおよび前記メモリと通信可能に結合された1つまたは複数のプロセッサとを備え、前記1つまたは複数のプロセッサが、
第1の送信時間間隔(TTI)を備える第1のシンボルおよび第2のシンボルを介して送信するためにユーザ機器のための1つまたは複数のリソース割当てを送信することであって、前記1つまたは複数のリソース割当てのうちの少なくとも1つのリソース割当てが、少なくとも前記第1のシンボルについて、デシメーションファクタに基づくシステム帯域幅内の1つまたは複数の連続周波数リソースの指示を含む、ことと、
前記第1のTTIにおいて、前記1つまたは複数のリソース割当てに従って、前記第1のシンボルを介して基準信号を、前記第2のシンボルを介してUCIを示すデータ信号を受信することと
を行うように構成され、
前記デシメーションファクタが、UCIペイロードサイズに少なくとも部分的に基づいて決定され、前記デシメーションファクタが、前記1つまたは複数の連続周波数リソースの分割を示す、装置。